(57)【要約】【課題】  画面サイズ（解像度やアスペクト比）が異なる端末間であっても統一感があり、操作性のよい電子カルテ画面を表示させることが可能な表示制御装置、表示制御方法、及びプログラムを提供する。【解決手段】電子カルテ画面５の縦方向（または横方向）において、サイズ固定部とサイズ可変部とを設ける。クライアント端末４は、電子カルテ画面５の画面構成データ４を取得し、表示装置１４の表示画面サイズを取得し、表示画面サイズに応じて上述のサイズ可変部のサイズを算出する。制御装置１１は、サイズ固定部については指定された固定サイズで表示装置１４に表示する。またサイズ可変部については算出したサイズに調整して表示装置１４に表示する。【選択図】図１１
2016057877.tif 000002
【特許請求の範囲】
【請求項１】
縦方向または横方向の少なくともいずれか一方において、サイズを固定したサイズ固定部とサイズを可変とするサイズ可変部とを有する電子カルテ画面の画面構成データを取得する画面構成データ取得部と、
表示装置の表示画面サイズを取得するサイズ取得部と、
前記表示画面サイズに応じて前記サイズ可変部のサイズを算出する算出部と、
前記サイズ固定部を前記画面構成データにて指定された固定のサイズで表示するとともに、前記サイズ可変部を算出されたサイズに調整して前記表示装置に表示する表示制御部と、
を備えることを特徴とする表示制御装置。
【請求項２】
前記算出部は、縦方向または横方向において、前記表示画面サイズから前記サイズ固定部の固定のサイズを減算したサイズを前記サイズ可変部のサイズとすることを特徴とする請求項１に記載の表示制御装置。
【請求項３】
前記算出部は、縦方向または横方向において、前記表示画面のサイズに比例するように前記可変部のサイズを算出することを特徴とする請求項１に記載の表示制御装置。
【請求項４】
前記電子カルテ画面は、前記サイズ可変部内に更にサイズ固定部及びサイズ可変部を有することを特徴とする請求項１に記載の表示制御装置。
【請求項５】
電子カルテ画面のヘッダ部を前記サイズ固定部とし、電子カルテの入力部を前記サイズ可変部とすることを特徴とする請求項１に記載の表示制御装置。
【請求項６】
前記画面構成データ取得部は、ネットワークを介して接続されたサーバ装置から前記画面構成データを取得することを特徴とする請求項１に記載の表示制御装置。
【請求項７】
コンピュータの制御部が、
縦方向または横方向のいずれか一方において、サイズを固定したサイズ固定部とサイズを可変とするサイズ可変部とを有する電子カルテ画面の画面構成データを取得するステップと、
表示装置の表示画面サイズを取得するステップと、
前記表示画面サイズに応じて前記サイズ可変部のサイズを算出するステップと、
前記サイズ固定部を前記画面構成データにて指定された固定のサイズで表示するとともに、前記サイズ可変部を算出されたサイズに調整して前記表示装置に表示するステップと、
を含むことを特徴とする表示制御方法。
【請求項８】
コンピュータを、
縦方向または横方向の少なくともいずれか一方において、サイズを固定したサイズ固定部とサイズを可変とするサイズ可変部とを有する電子カルテ画面の画面構成データを取得する画面構成データ取得手段、
前記コンピュータに接続された表示装置の表示画面サイズを取得するサイズ取得手段、
前記表示画面サイズに応じて前記サイズ可変部のサイズを算出する算出手段、
前記サイズ固定部を前記画面構成データにて指定された固定のサイズで表示するとともに、前記サイズ可変部を算出されたサイズに調整して前記表示装置に表示する表示制御手段、
として機能させるためのプログラム。
【発明の詳細な説明】
【技術分野】
【０００１】
本発明は、表示制御装置、表示制御方法、及びプログラムに係り、詳細には、電子カルテ画面の表示制御に関する。
【背景技術】
【０００２】
近年、医療業務を支援する仕組みとして電子カルテシステムが利用されている。電子カルテシステムとは、診療録（カルテ）の情報や処方箋の情報、検査情報、レセプト情報、その他の医療業務に関する各種の情報を記録、保存、管理する仕組みであり、医療業務に携わる全ての医師、看護師、検査技師、薬剤師、事務員等が上述の各種の情報を共有可能となっている。電子カルテシステムでは上述したように多種多様な情報を取り扱うため、表示画面上に多数の表示項目や入力項目が存在する。そのため画面構成が複雑になりやすく、操作性のよいユーザインターフェースが要望されている。具体的には例えば（１）スクロール数の低減、（２）無駄な余白の低減、（３）画面デザインの統一、といった改良が期待されている。
【０００３】
しかし、医療業務の各部門で使用されるモニタはそれぞれ表示画面のサイズ（解像度やアスペクト比）が異なることがある。したがって、画面レイアウトが各端末で違ったものになり、見え方の統一感が損なわれ、操作性に影響を及ぼすという問題があった。具体的には表示画面の解像度が予め想定された基準解像度よりも小さいモニタでは、電子カルテ画面の表示崩れが発生したり、画面全体の初期スクロールが発生してしまう。一方、解像度が大きいモニタでは余白が発生してしまう。表示崩れやスクロールが発生すると、どの端末でも同じ様に表示しておきたい項目である「患者氏名」、「患者ＩＤ」、「部門名」等といった項目が、正しく表示されなかったり、スクロールによって画面の一部が表示されなかったりすることがある。また、表示項目が多い電子カルテにおいて画面内に余白部分が多くなると、画面スペースに無駄が発生してしまう。このような問題に対し、特許文献１には、コンピュータが出力する画像や文字データを画面サイズや解像度が異なるディスプレイ装置に画面調整して表示する方法が記載されている。
【０００４】
特許文献１の方法では、コンピュータに搭載されるＡＰＩ関数により変更後のディスプレイ装置の画面解像度を取得し、出力画像、文字データが持つ画面解像度に対するディスプレイ装置の画面解像度の比率を求め、出力画像・文字データに比率を掛け合わせてディスプレイ装置での表示画面調整を行い、文字フォントサイズ設定ファイルからフォントサイズを読み込み、文字データのフォントサイズを調整することについて記載されている。
【先行技術文献】
【特許文献】
【０００５】
【特許文献１】特開２００８−２０５０４号公報
【発明の概要】
【発明が解決しようとする課題】
【０００６】
しかしながら、特許文献１の方法は、画面内の表示内容である文字データや画像の表示サイズを解像度や画面サイズに応じて調整するものであるため、各端末での画面の統一感について配慮されていない。そのため画面全体のレイアウトが乱れたり、意図しない調整となる虞がある。
【０００７】
本発明は、前述した問題点に鑑みてなされたもので、その目的は、画面サイズ（解像度やアスペクト比）が異なる端末間であっても画面レイアウトに統一感があり、操作性のよい電子カルテ画面を表示させることが可能な表示制御装置、表示制御方法、及びプログラムを提供することである。
【課題を解決するための手段】
【０００８】
上記目的を達成するために第１の発明は、縦方向または横方向の少なくともいずれか一方において、サイズを固定したサイズ固定部とサイズを可変とするサイズ可変部とを有する電子カルテ画面の画面構成データを取得する画面構成データ取得部と、表示装置の表示画面サイズを取得するサイズ取得部と、前記表示画面サイズに応じて前記サイズ可変部のサイズを算出する算出部と、前記サイズ固定部を前記画面構成データにて指定された固定のサイズで表示するとともに、前記サイズ可変部を算出されたサイズに調整して前記表示装置に表示する表示制御部と、を備えることを特徴とする表示制御装置である。
【０００９】
第２の発明は、コンピュータの制御部が、縦方向または横方向のいずれか一方において、サイズを固定したサイズ固定部とサイズを可変とするサイズ可変部とを有する電子カルテ画面の画面構成データを取得するステップと、表示装置の表示画面サイズを取得するステップと、前記表示画面サイズに応じて前記サイズ可変部のサイズを算出するステップと、前記サイズ固定部を前記画面構成データにて指定された固定のサイズで表示するとともに、前記サイズ可変部を算出されたサイズに調整して前記表示装置に表示するステップと、を含むことを特徴とする表示制御方法である。
【００１０】
第３の発明は、コンピュータを、縦方向または横方向の少なくともいずれか一方において、サイズを固定したサイズ固定部とサイズを可変とするサイズ可変部とを有する電子カルテ画面の画面構成データを取得する画面構成データ取得手段、前記コンピュータに接続された表示装置の表示画面サイズを取得するサイズ取得手段、前記表示画面サイズに応じて前記サイズ可変部のサイズを算出する算出手段、前記サイズ固定部を前記画面構成データにて指定された固定のサイズで表示するとともに、前記サイズ可変部を算出されたサイズに調整して前記表示装置に表示する表示制御手段、として機能させるためのプログラムである。
【発明の効果】
【００１１】
本発明により、画面サイズ（解像度やアスペクト比）が異なる端末間であっても統一感があり、操作性のよい電子カルテ画面を表示させることが可能な表示制御装置、表示制御方法、及びプログラムを提供できる。
【図面の簡単な説明】
【００１２】
【図１】電子カルテシステム１００のシステム構成を示す図
【図２】クライアント端末２及び電子カルテ管理サーバ１として利用されるコンピュータの構成を示す図
【図３】電子カルテの画面構成例と表示画面サイズによる表示状態の変化を示す図（第１の実施の形態）
【図４】画面構成データ４の一例を示す図
【図５】クライアント端末２ａ〜２ｈが実行する表示制御処理の手順を説明するフローチャート（第１の実施の形態）
【図６】（ａ）基準解像度の表示画面における電子カルテ画面５ｂの表示例、（ｂ）（ａ）の表示画面と比較して解像度が減少した場合の電子カルテ画面５ｃの表示例（第２の実施の形態）
【図７】第２の実施形態における画面構成データ４ａの一例を示す図
【図８】電子カルテの画面構成例と表示画面サイズによる表示状態の変化を示す図（第３の実施の形態）
【図９】第３の実施形態における画面構成データ４ｂの一例を示す図
【図１０】クライアント端末２ａ〜２ｈが実行する表示制御処理の手順を説明するフローチャート（第３の実施の形態）
【図１１】（ａ）基準解像度の表示画面における電子カルテ画面５ｄの表示例、（ｂ）（ａ）の表示画面と比較して解像度が減少した場合の電子カルテ画面５ｆの表示例（第２の実施の形態）
【図１２】サイズ可変部内にサイズ固定部及びサイズ可変部が設けられた電子カルテ画面６の一例
【発明を実施するための形態】
【００１３】
以下図面に基づいて、本発明の実施形態を詳細に説明する。
【００１４】
［第１の実施の形態］
まず、本発明に係る表示制御装置を利用する電子カルテシステム１００について説明する。
図１は、電子カルテシステム１００の全体構成を示す図である。
【００１５】
電子カルテシステム１００は、電子カルテ管理サーバ１と、医療施設の各部門に配置された複数のクライアント端末２ａ〜２ｈとがネットワーク３を介して通信接続されて構成される。クライアント端末２ａ〜２ｈは、例えば、放射線部門、リハビリ部門、検査部門、薬剤部門、透析部門、診察室、給食部門、看護部門等の各部門にそれぞれ１または複数台設置されるコンピュータである。以下、クライアント端末２ａ〜２ｈを総称してクライアント端末２と表記する。第１〜第３の各実施形態では、各クライアント端末２が本発明に係る表示制御装置として機能する例について説明するが、電子カルテ管理サーバ１が本発明に係る表示制御装置として機能するものとしてもよい。
【００１６】
本発明において、クライアント端末２は、電子カルテ画面を表示装置の表示画面サイズに調整して表示する表示制御処理を実行する。各クライアント端末２における表示制御処理については後述する。
【００１７】
ネットワーク３は、例えば、施設内の専用の通信回線で接続されたＬＡＮ（Local  Area  Network）や、より広域に通信接続されたＷＡＮ（Wide  Area  Network）、またはインターネット等の公衆の通信回線を含む。ネットワーク３における通信接続は有線、無線を問わない。電子カルテ管理サーバ１、及び各クライアント端末２は、ネットワーク３を介して互いにデータを送受信する。
【００１８】
電子カルテシステム１００は、更に、ＰＡＣＳ（医用画像管理システム；Picture  Archiving  and  Communication  Systems）やＨＩＳ（病院情報システム；Hospital  Information  System）、ＲＩＳ（放射線科情報システム；Radiology  Information  System）等の医療業務に関する各種の情報システムとネットワーク３を介して通信接続される構成としてもよい。
【００１９】
電子カルテ管理サーバ１は、電子カルテシステム１００で取り扱う各種の情報を蓄積して記憶するデータベース１０を有する。電子カルテ管理サーバ１は、クライアント端末２から送信された情報を受信してデータベース１０に保存したり、指定されたクライアント端末２に対して情報を送信したりする。また、電子カルテ管理サーバ１は、各部門のクライアント端末２からの要求に応じてデータベース１０から情報を読み出し、ネットワーク３を介して要求元のクライアント端末２に対して送信する。クライアント端末２は受信した情報を所定のレイアウトを有する電子カルテ画面内に表示させる。
【００２０】
なお、データベース１０は電子カルテ管理サーバ１の記憶装置に設けるものとしてもよいし、電子カルテ管理サーバ１とネットワーク等を介して通信接続された記憶装置としてもよい。また、電子カルテ管理サーバ１やデータベース１０は各部門に配置されたクライアント端末２と同一施設内に配置されることを主な利用形態とするが、必ずしも同一施設内に配置されていなくてもよい。例えば、クラウドコンピューティングと呼ばれる仕組みを利用し、電子カルテシステム１００の電子カルテ管理サーバ１や各クライアント端末２、及びその他の情報システムからインターネット等を介してアクセス可能な記憶装置を含むものとしてもよい。
【００２１】
図２は、電子カルテシステム１００の電子カルテ管理サーバ１またはクライアント端末２として利用されるコンピュータのハードウエア構成を示すブロック図である。
【００２２】
図２に示すように、コンピュータは、制御装置１１、記憶装置１２、入力装置１３、表示装置１４、メディア入出力装置１５、通信Ｉ／Ｆ１６、周辺機器Ｉ／Ｆ１７等が、バス１８を介して接続される。但し、図２の例は一般的なコンピュータの例であり、用途、目的に応じて様々な構成を採ることが可能である。
【００２３】
制御装置１１は、ＣＰＵ（Central  Processing  Unit）、ＲＯＭ（Read  Only  Memory）、ＲＡＭ（Random  Access  Memory）等で構成される。ＣＰＵは、記憶装置１２、ＲＯＭ、記録媒体等に格納されるプログラムをＲＡＭ上のワークメモリ領域に呼び出して実行し、バス１８を介して接続された各装置を駆動制御する。ＲＯＭは、不揮発性メモリであり、コンピュータのブートプログラムやＢＩＯＳ等のプログラム、データ等を恒久的に保持している。ＲＡＭは、揮発性メモリであり、記憶装置１２、ＲＯＭ、記録媒体等からロードしたプログラム、データ等を一時的に保持するとともに、制御装置１１が各種処理を行う為に使用するワークメモリ領域を備える。
【００２４】
記憶装置１２は、例えばＨＤＤ（ハードディスクドライブ）であり、制御装置１１が実行するプログラム、プログラム実行に必要なデータ等が格納される。プログラムに関しては、ＯＳに相当する制御プログラムや、後述の各処理に相当する各アプリケーションプログラムが格納されている。これらの各プログラムコードは、制御装置１１により必要に応じて読み出されてＲＡＭに移され、ＣＰＵに読み出されて各種の手段として実行される。
【００２５】
入力装置１３は、データの入力を行い、例えば、キーボード、マウス等のポインティングデバイス、テンキー等の入力装置を有する。
表示装置１４は、ＣＲＴモニタ、液晶パネル等の表示装置、及び表示装置に表示データを表示させるための表示制御回路を有する。
【００２６】
メディア入出力装置１５は、例えば、ＤＶＤドライブ等のメディア入出力装置であり、データの入出力を行う。
通信Ｉ／Ｆ（インタフェース）１６は、通信制御装置、通信ポート等を有し、ネットワーク３の通信を媒介する通信インタフェースである。
【００２７】
周辺機器Ｉ／Ｆ１７は、コンピュータに周辺機器を接続させるためのポートである。
バス１８は、各装置間の制御信号、データ信号等の授受を媒介する経路である。
【００２８】
次に、図３〜図５を参照して、電子カルテ画面の画面構成とその表示制御処理について説明する。
電子カルテ画面５は、複数の構成要素を有し、各構成要素がそれぞれ所定位置に所定のサイズで配置されて構成される。本発明において、電子カルテ画面５は、縦方向または横方向の少なくともいずれか一方において、サイズを固定したサイズ固定部とサイズを可変とするサイズ可変部とを有する。第１の実施の形態では、一例として縦方向にサイズ固定部及びサイズ可変部を設け、横方向のサイズは固定とする。各構成要素がサイズ固定であるかサイズ可変であるかは画面設計段階で予め設定され、画面構成データ４として保持される。サイズは表示画面の解像度またはアスペクト比を指標とする。
【００２９】
図３は電子カルテ画面５の構成を示す図であり、（ａ）は基準とする解像度（基準解像度）の表示画面に表示した場合、（ｂ）は（ａ）の基準解像度よりも解像度が大きい表示画面に表示した場合の電子カルテ画面５ａの例である。図４は図３の電子カルテ画面５、５ａの画面構成データ４の一例である。
【００３０】
図３（ａ）に示す電子カルテ画面５は、構成要素としてヘッダ部５１と入力部５２とを有する。ヘッダ部５１は、患者情報や日付情報を表示するエリアであり、縦方向及び横方向にサイズ固定として設定されている。また入力部５２は、例えば診療情報等を入力・表示するエリアであり、縦方向がサイズ可変、横方向はサイズ固定として設定されている。
【００３１】
図４に示すように、画面構成データ４には各構成要素について、要素ＩＤ４１、サイズ情報４２、表示データ４３等がそれぞれ設定されている。
【００３２】
要素ＩＤ４１は、各構成要素の識別情報である。
サイズ情報４２は、構成要素の表示サイズを指定する情報であり、サイズを固定とする構成要素（サイズ固定部）については予め具体的な数値が指定される。例えば、図４の例では、構成要素「０００１」は図３のヘッダ部５１であり、縦：５０［pixel］、横：１０８０［pixel］のようにサイズが指定される。サイズを可変とする構成要素（サイズ可変部）については、どのようにサイズを決定するかを指定する情報が設定される。例えば、図４の例では、構成要素「０００２」は図３の入力部５２であり、後述する表示制御プログラムによりサイズが算出される。このように表示制御プログラムによりサイズが算出される場合は、サイズ情報４２として「表示制御プログラム」と設定される。また、表示画面サイズに比例するように可変部のサイズを指定する場合は「比例」と設定される（図７参照）。
【００３３】
なお、各構成要素に表示されるテキストのフォントや画像サイズ等も予め決定されるものとする。なお、テキストのフォントや画像サイズは、所定のサイズ範囲の表示画面において適切に表示できるように決定されるものとする。所定のサイズ範囲とは、電子カルテを表示することが想定される表示画面のサイズ（解像度）の範囲であり、上限値は例えば、「１９２０×１０８０」、下限値は「１３６６×７６８」等とする。
【００３４】
表示データ４３は、各構成要素に表示する内容を指定するものである。例えば、所定のテキストや画像の指定、或いは患者情報や診療履歴のリンク情報等が設定される。また、図示しないが表示データ４３のフォントやサイズ等も画面構成データ４として予め設定される。
【００３５】
図３（ａ）に示す電子カルテ画面５を、解像度が基準解像度より大きい表示画面で表示すると、図３（ｂ）に示す電子カルテ画面５ａのように表示される。電子カルテ画面５ａは、ヘッダ部５１の縦サイズは図３（ａ）のヘッダ部５１と同一のまま、入力部５２ａの縦サイズが解像度に応じて増加される。つまり、クライアント端末２は、表示画面の縦サイズからヘッダ部５１の縦サイズを減算した値を入力部５２ｂの縦サイズとして指定する。横サイズについてはヘッダ部５１及び入力部５２いずれも固定であるため、画面横サイズが基準より大きい表示画面に表示する場合は、固定の横サイズに満たない部分を余白５３とする。なお、画面横サイズが基準より小さい表示画面に表示させた場合は、画面横サイズより固定の横サイズの方が大きくなるため、標準的なブラウザ等の機能により横スクロールバーが表示される。
【００３６】
次に、図５を参照しながら、第１の実施の形態の表示制御処理について説明する。
図５は、電子カルテを表示するクライアント端末２が実行する表示制御処理の流れを説明するフローチャートである。クライアント端末２は表示制御処理の各ステップを実行するためのプログラムを記憶装置１２等に保持している。クライアント端末２の制御装置１１は、このプログラムに従って表示制御処理を実行する。
【００３７】
例えば、診察室のクライアント端末２ｆにおいて、ある患者の電子カルテを表示する場合、クライアント端末２ｆは電子カルテの画面構成データ４を取得する（ステップＳ１０１）。ステップＳ１０１において、クライアント端末２ｆは、電子カルテ管理サーバ１に対して指定患者の患者情報や過去の診療情報（診療録等）を要求する。電子カルテ管理サーバ１はデータベース１０に蓄積されている診療情報の中から指定患者の患者情報及び診療情報を読み出し、画面構成データ４とともに要求元のクライアント端末２ｆに送信する。診察室のクライアント端末２ｆは、画面構成データ４と患者情報及び診療情報等を取得する。なお、画面構成データ４は、電子カルテ管理サーバ１から取得する例に限定されるものではなく、クライアント端末２の記憶装置１２に予め記憶されているものとしてよい。
【００３８】
表示制御処理において、クライアント端末２ｆの制御装置１１は、クライアント端末２ｆの表示装置１４の画面サイズを取得する（ステップＳ１０２）。画面サイズは、解像度やアスペクト比である。
【００３９】
クライアント端末２ｆの制御装置１１は、画面構成データ４から固定サイズ（ヘッダ部５１の縦サイズ）を取得し（ステップＳ１０３）、取得した固定サイズと画面サイズに基づいて、可変部のサイズを算出する（ステップＳ１０４）。図３及び図４の画面構成例では、ヘッダ部５１の縦サイズが固定、入力部５２の縦サイズが可変であるため、以下の式（１）、式（２）から入力部５２の縦サイズを算出する。
【００４０】
入力部の縦サイズ＝画面縦サイズ−ヘッダ部の縦サイズ  ・・・（１）
入力部の横サイズ＝構成要素「０００１」の横サイズ    ・・・（２）
【００４１】
クライアント端末２ｆの制御装置１１は、ステップＳ１０４で算出したサイズとなるように入力部５２のサイズを調整し（ステップＳ１０５）、表示画面内に配置する。そして表示データ４３を各構成要素にそれぞれ表示する（ステップＳ１０６）。
【００４２】
以上説明したように、第１の実施の形態において、クライアント端末２の制御装置１１は、電子カルテ画面５の縦方向においてサイズ固定部とサイズ可変部とを設ける。クライアント端末４は、電子カルテ画面４の画面構成データ４を取得し、表示装置１４の表示画面サイズを取得し、表示画面サイズに応じて上述のサイズ可変部のサイズを算出する。制御装置１１は、サイズ固定部については指定された固定サイズで表示装置１４に表示する。またサイズ可変部については算出したサイズに調整して表示装置１４に表示する。
したがって、表示画面サイズが異なる表示装置１４に同じ電子カルテ画面５を表示させる場合において、サイズ固定部については拡大や縮小をすることなく常に同様の表示状態としつつ、サイズ可変部を設けることで画面内に無駄な余白をなくしたり、スクロールの発生をなくしたりすることが可能となる。そのため、各クライアント端末２の表示画面サイズによらず統一感のある電子カルテを表示でき、また操作性が向上する。
【００４３】
特に、電子カルテ画面５のヘッダ部５１をサイズ固定部とし、診療録等を入力する入力部５２をサイズ可変部５２とすることが好適である。患者氏名や日付等の基本情報が表示されるヘッダ部５１をサイズ固定とすることで、どのクライアント端末２でも基本情報が常時同じサイズで表示されることとなり統一感のある電子カルテ画面を実現できる。また入力部５２のサイズを画面サイズに合わせて縮小したり拡大したりすることで、無駄な余白を排除し、画面を有効に使うことができる。またスクロール操作が不要となるため、一望して電子カルテ画面全体を視認できるようになり作業効率が向上する。
【００４４】
なお、縦方向にサイズ固定部とサイズ可変部とを設ける例について説明したが、これに限定されない。例えば、横方向にサイズ固定部とサイズ可変部とを設ける場合についても同様に、表示装置１４の表示画面サイズに合わせてサイズ可変部のサイズを調整することができる。
【００４５】
［第２の実施の形態］
次に、図６、図７を参照して本発明の第２の実施の形態について説明する。
第２の実施の形態では、図６に示すように電子カルテ画面５ｂの縦方向においてサイズ固定部とサイズ可変部とを設け、横方向のサイズは可変とする。即ち、ヘッダ部５１の縦サイズを固定、横サイズを可変とする。また、入力部５２は縦サイズ及び横サイズ共に可変とする。第１の実施の形態と異なる点は、横方向を可変とする点と、縦方向のサイズ可変部のサイズの算出方法である。第２の実施の形態では、サイズ可変部（入力部５２）のサイズは、表示画面の解像度またはアスペクト比に比例するように算出される。
【００４６】
図６は第２の実施の形態の電子カルテ画面５ｂ、５ｃの表示例であり、（ａ）は基準とする解像度（基準解像度）の表示画面に表示した場合、（ｂ）は（ａ）の基準解像度よりも解像度が小さい表示画面に表示した場合の例である。図７は図６の電子カルテ画面５ｂ、５ｃの画面構成データ４ａの例である。
【００４７】
電子カルテ画面５ｂのヘッダ部５１の縦サイズは、図７に示すように予め画面構成データ４ａのサイズ情報４２に設定される。ヘッダ部５１の横サイズ及び入力部５２の縦サイズ及び横サイズは、表示画面のサイズ（解像度やアスペクト比）に比例するように算出される。
【００４８】
図６（ａ）に示す電子カルテ画面５ｂを、解像度が基準解像度より小さい表示画面で表示すると、図６（ｂ）に示す電子カルテ画面５ｃのように表示される。すなわち、電子カルテ画面５ｃは、ヘッダ部５１ｃの縦サイズは図６（ａ）のヘッダ部５１の縦サイズと同一であり、入力部５２ｃの縦サイズは画面の解像度に比例して減少させる。例えば、図６（ａ）の表示装置と図６（ｂ）の表示装置とでは、解像度の比は「１９２０×１０８０：１３６６×７６８」であるので、図６（ｂ）の電子カルテ画面５ｃでは、基準とする電子カルテ画面５ｂの入力部の縦サイズに対して、「１３６６×７６８／１９２０×１０８０」を乗算した値を割り当てる。ヘッダ部５１及び入力部５２の横サイズも同様に、画面解像度に比例した値を指定する。
【００４９】
このように電子カルテのサイズ可変部のサイズを調整した結果、図６（ｂ）に示すように、横方向には余白が生じないように調整されて表示される。一方で、縦方向には表示画面内に収まらず、縦スクロールバーが表示される。これはヘッダ部５１の縦サイズを画面サイズによらず一定とした結果、ヘッダ部５１の縦サイズと入力部５２の縦サイズの和が、解像度の小さい電子カルテ画面５ｃにおいては画面縦サイズより大きくなるからである。この場合、標準的なブラウザ等の機能により縦スクロールバー５４が表示されることとなる。
【００５０】
つまり、第２の実施の形態では、第１の実施の形態と比較して横方向にサイズ調整されて余白が発生しないという利点がある。また、縦方向については余白が発生せず、ヘッダ部の縦サイズが一定となるため、画面の統一感があり、かつ表示崩れがないという利点がある。
ただし、若干のスクロールが生じる。このようなスクロールを生じさせることなく画面サイズを調整する方法について、第３の実施の形態で説明する。
【００５１】
［第３の実施の形態］
次に、図８〜図１１を参照して本発明の第３の実施の形態について説明する。
第３の実施の形態では、電子カルテ画面５ｄのヘッダ部５１の縦サイズを固定、横サイズを画面解像度またはアスペクト比に比例とする。また、入力部５２の縦サイズを「表示制御プログラムでサイズ制御」とし、横サイズを画面解像度またはアスペクト比に比例とする。つまり、縦方向にサイズ固定部とサイズ可変部を設け、縦のサイズ可変部は、表示制御プログラムで算出し、横方向のサイズは画面サイズ（解像度またはアスペクト比）に比例とする。
【００５２】
図８は第３の実施の形態の電子カルテ画面の構成図であり、（ａ）は基準とする解像度（基準解像度）の表示画面に表示した場合、（ｂ）は（ａ）の基準解像度よりも解像度が大きい表示画面に表示した場合の例である。図９は図８の電子カルテ画面５ｄ、５ｅの画面構成データ４ｂの一例である。
【００５３】
図９に示すようにヘッダ部５１の縦サイズは予め画面構成データ４ｂのサイズ情報４２にて設定される。入力部５２の縦サイズは、当該電子カルテを表示する表示装置に接続されたコンピュータ（クライアント端末）の制御装置１１により実行される表示制御プログラムにより算出される。ヘッダ部５１、５１ｅの横サイズ及び入力部５２、５２ｅの横サイズは、クライアント端末２の制御装置１１により画面の解像度やアスペクト比に比例する値が算出されるものとする。
【００５４】
図８（ａ）に示す電子カルテ画面５ｄを、解像度が基準解像度より大きい表示画面で表示すると、図８（ｂ）に示す電子カルテ画面５ｅのようになる。すなわち、電子カルテ画面５ｅは、ヘッダ部５１ｅの縦サイズは図８（ａ）の電子カルテ画面５ｄのヘッダ部５１の縦サイズと同一のままとし、入力部５２ｅの縦サイズはヘッダ部５１ｅの縦サイズ及び表示画面サイズに基づいて算出される。つまり、表示画面の縦サイズからヘッダ部５１ｅ（固定部）の縦サイズを減算した値を入力部５２ｅの縦サイズとして指定する。
ヘッダ部５１、５１ｅ及び入力部５２、５２ｅの横サイズは、画面解像度に比例したサイズとする。図８（ａ）の場合は、画面の横サイズがヘッダ部５１及び入力部５２の横サイズとなる。また図８（ｂ）についても、画面の横サイズがヘッダ部５１ｅ及び入力部５２ｅの横サイズとなる。横方向に複数の構成要素を並べて配置する場合は、各構成要素の横方向のサイズ比率が同一となるように、画面の横サイズに比例させて調整する。
【００５５】
次に、図１０を参照しながら、第３の実施の形態の表示制御処理について説明する。
図１０は、電子カルテを表示するクライアント端末２が実行する表示制御処理の流れを説明するフローチャートである。クライアント端末２は表示制御処理の各ステップを実行するためのプログラムを記憶装置１２等に保持している。クライアント端末２の制御装置１１は、このプログラムに従って表示制御処理を実行する。
【００５６】
ステップＳ２０１〜ステップＳ２０３までの処理は、第１の実施の形態の表示制御処理（図５参照）のステップＳ１０１〜ステップＳ１０３と同様である。すなわち、クライアント端末２の制御装置１１は、ネットワーク３を介して電子カルテ管理サーバ１から電子カルテの画面構成データ４ｂを取得し（ステップＳ２０１）、クライアント端末２の表示装置１１の画面サイズを取得し（ステップＳ２０２）、画面構成データ４ｂから固定部（ヘッダ部５１）のサイズを取得する（ステップＳ２０３）。
【００５７】
クライアント端末２の制御装置１１は取得したヘッダ部５１のサイズと画面サイズに基づいて、可変部のサイズ（入力部５２の縦サイズ）を算出する（ステップＳ２０４）。制御装置１１は、以下の式（３）〜式（５）からサイズ可変部（入力部５２の縦サイズ、ヘッダ部５１の横サイズ、入力部５２の横サイズ）のサイズを算出する。
【００５８】
入力部の縦サイズ＝画面縦サイズ−固定部の縦サイズ  ・・・（３）
ヘッダ部の横サイズ＝画面横サイズ                  ・・・（４）
入力部の横サイズ＝画面横サイズ                    ・・・（５）
【００５９】
ヘッダ部５１及び入力部５２の横サイズは、画面解像度（画面横サイズ）に比例した値を指定する。図８のように横方向に分割のない画面構成の場合は、画面の横サイズをヘッダ部５１及び入力部５２の横サイズとする。横方向に複数の構成要素を並べて配置する場合は、各構成要素の横方向のサイズは、それぞれ画面解像度（画面横サイズ）に比例させて調整する。
【００６０】
クライアント端末２ｆの制御装置１１は、ステップＳ２０４で算出したサイズとなるように各構成要素のサイズを調整し（ステップＳ２０５）、表示画面内に配置する。そして表示データを各構成要素内にそれぞれ表示する（ステップＳ２０６）。
【００６１】
このように、ヘッダ部５１の縦サイズは固定としつつ、その他のサイズを可変として表示画面のサイズ（解像度及びアスペクト比）に合うように算出することで、ヘッダ部５１の縦サイズが各端末で統一され、かつ、画面に対して過不足のない領域に電子カルテを表示できる。そのため、基準とする解像度よりも解像度が大きい表示画面に表示しても余白が生じず、また、基準とする解像度よりも解像度が小さい表示画面に表示しても、図１１に示すように画面サイズに合った表示サイズとなり、縦横にスクロールが発生しないものとなる。
【００６２】
以上説明したように、第３の実施の形態では、縦方向にサイズを固定する部分と可変とする部分とを設け、また横方向のサイズについては画面サイズに比例させる。縦方向のサイズ可変部（入力部）のサイズは、画面縦サイズとサイズ固定部（ヘッダ部）の縦サイズとに基づいて算出される。
これにより、統一感のある画面構成を維持しつつ、縦方向及び横方向に余白が生じず、かつ縦横のいずれにもスクロールが生じない画面を表示できる。多数の表示・入力項目がある電子カルテにおいて操作性のよい画面を提供できる。
【００６３】
なお、上述の各実施形態では、縦方向にサイズ固定とする部分とサイズ可変とする部分とを設ける画面構成について例示したが、横方向にサイズ固定とする部分とサイズ可変とする部分とを設ける画面構成としてもよい。例えば、画面の左端にヘッダ部やタブ部を設ける場合等は、ヘッダ部やタブ部の横サイズを固定とし、ヘッダ部またはタブ部の横に配置された入力部の横サイズを画面サイズに応じて可変としてもよい。この場合の可変の横サイズは、上述の各実施形態の縦方向の場合と同様に、表示制御プログラムや表示画面の解像度に比例させるようにして求める。
【００６４】
また、縦方向及び横方向の両方にそれぞれサイズ固定部とサイズ可変部とを設ける画面構成についても同様に本発明を適用できる。例えば、画面の上辺に縦サイズ固定のヘッダ部を設け、画面の左辺に横サイズ固定のタブ部を設け、ヘッダ部とタブ部以外の領域を縦サイズ及び横サイズが「可変」の入力部を設ける場合である。この場合は、例えば画面縦サイズからヘッダ部の縦サイズ（固定）を減算して入力部の縦サイズを決定し、その後、画面横サイズからタブ部の横サイズ（固定）を減算して入力部の縦サイズを決定する。縦と横の算出順序を逆としてもよい。
【００６５】
また、電子カルテ画面は、サイズ可変部内に更にサイズ固定部及びサイズ可変部を設けてもよい。
【００６６】
図１２は、サイズ可変部内に更にサイズ固定部及びサイズ可変部を設けた電子カルテ画面の一例である。
図１２の実線で囲む範囲は縦サイズまたは横サイズのうちいずれか一方がサイズ固定であり、他方はサイズ可変とする。また、図１２の破線で示す範囲は縦サイズ及び横サイズ共に可変とする領域とする。
【００６７】
具体的には、領域６１、６２、６５、６８、７０はヘッダ部であり、縦サイズが固定、横サイズは可変とする。また領域６３はヘッダ部、領域６４はタブ部であり、縦サイズが可変、横サイズが固定とする。領域６７、６９、７１は縦サイズ及び横サイズともに可変とする。
【００６８】
このように縦方向または横方向に複数のサイズ固定部がある画面構成について各構成要素のサイズを算出する場合、その計算手順は、縦方向または横方向において、（ａ）表示画面サイズから各サイズ固定部（ヘッダ部）のサイズの和を減算した値を入力部のサイズとしてサイズ指定してもよいし、（ｂ）画面サイズから１つめのヘッダ部のサイズを減算した残りの領域のサイズを求め、更にその領域から２つのヘッダ部のサイズを減算して残りの領域のサイズを求め、・・・というように複数の固定部のサイズを表示画面サイズから順に減算して入力部のサイズを求めてもよい。
【００６９】
以上、添付図面を参照しながら、本発明の好適な実施形態について説明したが、本発明はかかる例に限定されない。例えば、画面構成や画面サイズを示す数値は本発明を説明するための一例であり、各種の変更例を含むものとする。その他、当業者であれば、本願で開示した技術的思想の範疇内において、各種の変更例又は修正例に想到し得ることは明らかであり、それらについても当然に本発明の技術的範囲に属するものと了解される。
【符号の説明】
【００７０】
１００・・・・・・・・・・電子カルテシステム
１・・・・・・・・・・・・電子カルテ管理サーバ
２、２ａ〜２ｈ・・・・・・クライアント端末
３・・・・・・・・・・・・ネットワーク
４、４ａ、４ｂ・・・・・・画面構成データ
５、５ａ〜５ｆ・・・・・・電子カルテ画面
５１、５１ｂ〜５１ｆ・・・ヘッダ部（サイズ固定部）
５２、５２ａ〜５２ｆ・・・入力部（サイズ可変部）
５４・・・・・・・・・・・スクロールバー
６・・・・・・・・・・・・電子カルテ画面
【図１】
2016057877.tif 000003
【図２】
2016057877.tif 000004
【図３】
2016057877.tif 000005
【図４】
2016057877.tif 000006
【図５】
2016057877.tif 000007
【図６】
2016057877.tif 000008
【図７】
2016057877.tif 000009
【図８】
2016057877.tif 000010
【図９】
2016057877.tif 000011
【図１０】
2016057877.tif 000012
【図１１】
2016057877.tif 000013
【図１２】
2016057877.tif 000014